(57)【要約】【課題】  松の側根を地面から浅い位置に誘導して、地面から浅い位置で側根から細根（吸収根）を生えさせるとともに、周囲を適度な乾燥土壌とすることができるようにした松茸栽培床構造を得る。【解決手段】  松１の側根２の下側に位置して直根３の周囲に、側根２の直進を阻止し、側根２を地面４から概ね３ｃｍ〜１０ｃｍの深さに誘導する、側根２を通さない網目状の或いは小穴が一面に形成された誘導シート５を所定の面積で埋設し、誘導シート５の下には水捌け用砂利層６を設けた。【選択図】  図１
2016029898.tif 000002
【特許請求の範囲】
【請求項１】
松の側根の下側に位置して直根の周囲に、側根の直進を阻止し、側根を地面から概ね３ｃｍ〜１０ｃｍの深さに誘導する、側根を通さない網目状の或いは小穴が一面に形成された誘導シートを所定の面積で埋設し、前記誘導シートの下には水捌け用砂利層を設けたことを特徴とする松茸栽培床構造。
【請求項２】
前記誘導シートの外周囲には、前記誘導シートで誘導された側根の進行を遮断する少なくとも地面までの高さの遮断体を設けたことを特徴とする請求項１に記載の松茸栽培床構造。
【発明の詳細な説明】
【技術分野】
【０００１】
本発明は、松茸の栽培に適した松茸栽培床構造に関するものである。
【背景技術】
【０００２】
松茸は、生きた松の細根（吸収根）に共生する外生菌根形成菌であり、松茸菌糸と菌根との結合体から発生する。
松茸の発生には、乾燥土壌を好み、細根が地面から浅い位置にあることが必要とされている。このような環境を人工的に作り松茸の収穫を確実なものとするものとして、所定の面積で、傾斜部を設けて水捌けを良くするように形成したプラスチックやコンクリートで作られたステージ本体を有し、ステージ本体の松を植栽する位置には、直根を通過させる直根規制穴を形成しており、ステージ本体の表面には適宜間隔で千鳥状の突起を形成し、盛り土の上にステージ本体を付設し、その上に覆土し、松を、直根がステージ本体に形成した直根規制穴の上部に植え込むようにして使用される茸栽培用ステージが提案されている（例えば、特許文献１参照。）。
【先行技術文献】
【特許文献】
【０００３】
【特許文献１】特開平１０−２７６５７４号公報
【発明の概要】
【発明が解決しようとする課題】
【０００４】
上記した茸栽培用ステージによれば、ステージ本体がプラスチックやコンクリートで作られているため、ステージ本体の下の地層とステージ本体の上の覆土とはステージ本体で通水が遮断され、覆土が必要以上に乾燥してしまうおそれがあるといった問題がある。
【０００５】
本発明の目的は、松の側根を地面から浅い位置に誘導して、地面から浅い位置で側根から細根（吸収根）を生えさせるとともに、周囲を適度な乾燥土壌とすることができるようにした松茸栽培床構造を提供することにある。
【課題を解決するための手段】
【０００６】
上記の目的を達成するために、請求項１に記載の発明は、松の側根の下側に位置して直根の周囲に、側根の直進を阻止し、側根を地面から概ね３ｃｍ〜１０ｃｍの深さに誘導する、側根を通さない網目状の或いは小穴が一面に形成された誘導シートを所定の面積で埋設し、前記誘導シートの下には水捌け用砂利層を設けたことを特徴としている。
【０００７】
請求項２に記載の発明は、請求項１に記載の前記誘導シートの外周囲には、前記誘導シートで誘導された側根の進行を遮断する少なくとも地面までの高さの遮断体を設けたことを特徴とする。
【発明の効果】
【０００８】
請求項１に記載の松茸栽培床構造によれば、松の側根の下側に位置して直根の周囲に、側根の直進を阻止し、側根を地面から概ね３ｃｍ〜１０ｃｍの深さに誘導する、側根を通さない網目状の或いは小穴が一面に形成された誘導シートを所定の面積で埋設したので、成長する側根を、側根を通さない網目状の誘導シートにより直進を阻止し、誘導シートに沿って地面から概ね３ｃｍ〜１０ｃｍの深さに誘導することができ、地面から概ね３ｃｍ〜１０ｃｍの範囲で側根から細根を生やすことができ、また、前記誘導シートの下には水捌け用砂利層を設けたので、地面から概ね３ｃｍ〜１０ｃｍの土壌を適度な乾燥状態とすることができるので、松茸栽培に適した環境とすることができ、松茸菌糸と菌根との結合が促されることにより松茸の量産を図ることができる。
【０００９】
請求項２に記載の松茸栽培床構造によれば、請求項１に記載の前記誘導シートの外周囲には、前記誘導シートで誘導された側根の進行を遮断する少なくとも地面までの高さの遮断体を設けたので、前記誘導シートで誘導された側根は、その進行が遮断体で遮断されて先端側が遮断体の内側に止まる結果、側根の先端側に生える細根が密になることから、松茸菌糸と菌根との結合体である、いわゆる「シロ」を大きくすることができ、松茸の一層の量産を図ることができる。
【図面の簡単な説明】
【００１０】
【図１】本発明に係る松茸栽培床構造の実施の形態の一例を示す断面説明図である。
【図２】本発明に係る松茸栽培床構造を作る工程を示す説明図である。
【図３】本発明に係る松茸栽培床構造を作る工程を示す説明図である。
【図４】本発明に係る松茸栽培床構造を作る工程を示す説明図である。
【図５】本発明に係る松茸栽培床構造を作る工程を示す説明図である。
【図６】本発明に係る松茸栽培床構造を作る工程を示す説明図である。
【図７】本発明に係る松茸栽培床構造を作る工程を示す説明図である。
【図８】本発明に係る松茸栽培床構造を作る工程における松の苗木の植栽の他例を示す説明図である。
【図９】本発明に係る松茸栽培床構造を作る工程における松の苗木の植栽の他例を示す説明図である。
【発明を実施するための形態】
【００１１】
以下、本発明に係る松茸栽培床構造の実施の形態の一例を、図面を参照して詳細に説明する。
図１は本発明に係る松茸栽培床構造の実施の形態の一例を示す断面説明図、図２乃至図７は本発明に係る松茸栽培床構造を作る工程を示す説明図である。
【００１２】
本例の松茸栽培床構造は、松１の側根２の下側に位置して直根３の周囲に、側根２の直進を阻止し、側根２を地面４から概ね３ｃｍ〜１０ｃｍの深さに誘導する、側根２を通さない網目状の或いは小穴が一面に形成された誘導シート５が所定の面積で埋設されている。
誘導シート５は、耐食性及び摩擦強度、引き裂き強度の強い素材、例えばナイロンやカーボンで製造されている。誘導シート５の面積にあっては特に限定されないが、後述する側根２を伸ばす範囲を規制する面積となっている。
誘導シート５の下には水捌け用砂利層６が所定の厚さで設けられている。水捌け用砂利層６の厚さは、誘導シート５を埋設するために誘導シート５の上に盛った覆土７に適度な乾燥状態が得られる厚さに設定されている。砂利の粒径については特に限定されない。
また、誘導シート５の外周囲には、誘導シート５で誘導された側根２の進行を遮断する少なくとも地面４までの高さの遮断体８が設けられている。
【００１３】
このように構成される松茸栽培床構造は次のようにして作られる。
先ず、図２に示すように、松１を植栽する地面４を、所定の面積、本例では、誘導シート５の面積に応じた面積で所定の深さに掘り下げ、凹部９を形成する。この凹部９の深さは、水捌け用砂利層６と、誘導シート５の上に盛られる覆土７の厚さ（概ね３ｃｍ〜１０ｃｍ）により求められる。
次に、図３に示すように、凹部９の中央に松１の直根３を通すエリア１０を残してその周囲全面に砂利を所定厚さに敷き詰め水捌け用砂利層６を形成する。
次に、図４に示すように、水捌け用砂利層６の上に、前記のエリア１０を残してその周囲全面に誘導シート５を敷設し、図５に示すように、誘導シート５の外周囲、即ち、凹部９の内壁面にブロックなどの遮蔽体８を並べて設ける。
ここまで形成したら、図６に示すように、エリア１０に松１の苗木の直根３を埋め、この後、図７に示すように、遮蔽体８の内側にある誘導シート５の上面に覆土７を概ね３ｃｍ〜１０ｃｍの厚さに盛って松茸栽培床構造が完成する。
【００１４】
松１の苗木の植栽にあっては、図６、図７では、側根２が十分に出ていない松１の苗木を植栽しているが、図８、図９に示すように、側根２が十分出ている松１の苗木を植栽することもできる。
側根２が十分出ている松１の苗木を植栽する場合は、側根２が誘導シート５の上面側に出るように前記エリア１０に松１の苗木の直根３を埋め、側根２を、例えば紐１２により上方へ吊り上げて横方向に伸びるように規制しておき（図８参照。）、この状態で遮蔽体８の内側にある誘導シート５の上面に覆土７を概ね３ｃｍ〜１０ｃｍの厚さに盛って松茸栽培床構造を完成させる（図９参照。）。紐１２による側根２の吊り上げは、成長した側根２が確実に誘導シート５の上面に乗った後に解く。
【００１５】
このように構成された松茸栽培床構造によれば、松１の側根２の下側に位置して直根３の周囲に、側根２の直進を阻止し、側根２を地面４から概ね３ｃｍ〜１０ｃｍの深さに誘導する側根２を通さない誘導シート５を所定の面積で埋設したので、成長する側根２は誘導シート５により直進が阻止されて誘導シート５の上面を、誘導シート５に沿って地面４から概ね３ｃｍ〜１０ｃｍの深さに誘導され、地面４から概ね３ｃｍ〜１０ｃｍの範囲で側根２から細根１１を生やすことができる。
また、誘導シート５の下には水捌け用砂利層６が設けられているので、地面４から概ね３ｃｍ〜１０ｃｍの土壌を松茸菌糸と菌根との結合に適した乾燥状態とすることができる。
【００１６】
また、本例では、外周囲、即ち、凹部９の内壁面に誘導シート５で誘導された側根２の進行を遮断する少なくとも地面４までの高さのブロックなどの遮蔽体８を並べて設けたので、誘導シート５で誘導された側根２は、その進行が遮断体８で遮断されて先端側が遮断体８の内側に止まる結果、側根２の先端側に生える細根１１が密になり、松茸菌糸と菌根との結合体である、いわゆる「シロ」を大きくすることができ、松茸の一層の量産を図ることができる。
【００１７】
また、松１の苗木を植栽にあって、図８、図９に示すように、側根２が十分出ている松１の苗木を使用し、側根２が誘導シート５の上面側に出るようにエリア１０に松１の苗木の直根３を埋め、側根２を、例えば紐１２により上方へ吊り上げて横方向に伸びるように規制しておき、この状態で遮蔽体８の内側にある誘導シート５の上面に覆土７を盛るようにすると、成長した側根２を確実に誘導シート５の上面に乗せ、そして、側根２を地面４から概ね３ｃｍ〜１０ｃｍの深さに誘導することができる。
【符号の説明】
【００１８】
１  松
２  側根
３  直根
４  地面
５  誘導シート
６  水捌け砂利層
７  覆土
８  遮蔽体
９  凹部
１０  エリア
１１  細根
１２  紐
【図１】
2016029898.tif 000003
【図２】
2016029898.tif 000004
【図３】
2016029898.tif 000005
【図４】
2016029898.tif 000006
【図５】
2016029898.tif 000007
【図６】
2016029898.tif 000008
【図７】
2016029898.tif 000009
【図８】
2016029898.tif 000010
【図９】
2016029898.tif 000011